Podtech/llm-jp-corpus-v4-ja_patent huggingface dataset:
(57)【要約】【課題】電子媒体のクーポン配信方式に容易さと安全性を導入し、利用後の付加価値付与を実現する【解決手段】媒体とし、ＦｅｌｉＣａを利用し、全地球測位システムを導入することで、容易さと安全性を実現し、データをサーバで一元管理し、通信方式を規格化することで、より多くの配信者、店舗及び利用者が容易に利用できるるようにし、利用後の付加価値付与も実現する。【特許請求の範囲】
【請求項１】
パーソナルコンピュータ、携帯電話等の情報処理通信装置のインターネット通信機能を利用し、利用者がＷｅｂサイトを通じ、住所若しくは全地球測位システムによる位置情報及びキーワード等を配信者若しくはそれに代わる者の設置したサーバへ送信することで、その位置情報及び利用者の利用傾向、キーワード等と関連性のある、予めサーバに登録されたクーポン及び利用者に有益な情報を利用者に返信する位置情報及び利用者情報との関連を特徴とした情報配信方法。
【請求項２】
請求項１により配信されたクーポン及び利用者に有益な情報を利用者が選択し、それを配信者若しくはそれに代わる者の設置したサーバに保存し、その保存された情報を閲覧及び利用するための情報を利用者の情報処理通信装置に搭載若しくは外部に接続されたＦｅｌｉＣａカード若しくはチップに登録する。情報の一元管理及び情報の安全性特徴とした情報管理方法。
【請求項３】
請求項２により管理されたクーポン等を利用者のＦｅｌｉＣａカード若しくはチップを専用の読み込み装置にかざすことで登録された情報を照合し、配信者若しくはそれに代わる者、又はそれらの者の指定した店舗等で利用し、配信者側の設定によっては、その利用に対してポイント等の付加価値や再度クーポンを付与する、電子媒体と非接触通信装置による利用の容易さ特徴としたクーポン等の利用及び付加価値情報の保存方法。
【発明の詳細な説明】
【技術分野】
【０００１】    本発明は、クーポン等の情報を容易かつ安全に配信及び利用するために、一元管理する方法に関するものである。
【背景技術】
【０００２】    インターネット上で配信するクーポンとして、通常のＷｅｂページを印刷することで、クーポンとする方法がある。しかし、この方法は印刷する必要があるため、印刷装置が別途必要である上、利用者にかかる手間が大きいという問題がある。【０００３】    電子媒体のクーポン配信方法にバーコードやＱＲコードを媒体として配信し、印刷若しくは携帯端末のディスプレイに表示して利用する方法がある。携帯端末のディスプレイを用いることで上記の問題は改善されている。しかし、これらを媒体とした配信方法では、偽造及び譲渡が容易であり、適切な運用がなされない恐れがあり、携帯端末のディスプレイに表示する場合、保存したファイルを開く必要があり、利用時の手間が大きいという問題がある。また、利用時にポイント等の付加価値を付与することができないという問題もある。【０００４】    また、地域、路線及びキーワードで検索する機能は存在しているが、全地球測位システムによる位置情報及び利用者の利用履歴から検索する機能は従来技術にはない。携帯電話機向けＷｅｂサイトに全地球測位システムを取り入れる傾向が増えており、住所に代わるものとなってきている。
【発明の開示】
【発明が解決しようとする課題】
【０００５】    解決しようとする問題点は、従来技術において利用に際し手間が大きい点、偽造及び譲渡が容易である点、全地球測位システムという新しい技術を取り入れる点である。
【課題を解決するための手段】
【０００６】    本発明は、容易で安全なデータ通信及び管理が可能なＦｅｌｉＣａを媒体として用い、サーバに利用者及びそれに関連するクーポンの情報を保存することで、容易さ及び安全性を実現した。また携帯電話機の全地球測位システムによる検索を取り入れたことも特徴とする。【０００７】    また、利用者−配信用Ｗｅｂサイト−サーバ間の通信方式を規格化することで、利用者は特定のサーバだけでなく、他の配信用Ｗｅｂサイトからサーバに登録されたクーポンを配信できるという特徴も持つ。
【発明の効果】
【０００８】    一元管理により、利用者情報の永続性を得ることができ、検索に履歴による学習機能及び利用に対した付加価値の付与機能を取り入れることが実現できる。【０００９】    本発明の効果は、容易さ及び安全性を持ち、データを一元管理することで、配信者−サーバ間、利用者−サーバ間、店舗−サーバ間の通信方式を規格化したことで、容易に配信者及び店舗は産業上の利用が可能となる。
【発明を実施するための最良の形態】
【００１０】    利用者情報、位置情報、クーポン情報、利用情報をデータベースで管理し、各機能をプログラムを作成することで実現した。
【実施例】
【００１１】    利用者の現在位置とクーポン利用場所との距離の関数ｆ（ｄ），利用履歴から得ることが出来る相関性を関数ｇ（ｒ），キーワードとクーポンの相関性を関数ｈ（ｋ）であらわし、それぞれを要素とした関数  Ａ（ｆ（ｄ），ｇ（ｒ），ｈ（ｋ））  で利用者情報及び位置情報から求めまる総合ランクとして算出し、そのランクにより、相関の強いクーポンをユーザーに配信するアルゴリズムを作成した。
【産業上の利用可能性】
【００１２】    紙媒体及び従来技術による電子媒体によるクーポン配信方式の問題点である容易さ、安全性を改善したため、利用者にとっての利便性が増し、それに伴い、店舗等が積極的にクーポン配布を行うことが出来る。【００１３】    位置情報と連動することで、配信者側のより細かい戦略的利用が可能となる。【００１４】    利用後に付加価値を付与することが可能となるため、店舗等は顧客サービスとして適用することが出来る。
(57)【要約】【課題】どの女性が被害女性がなのかを周囲に特定されることなしに、痴漢行為が行われている事実を他の乗客に知らせ、さらに、痴漢自身にも被害者が痴漢行為を告発していることを知らしめることによって痴漢行為を阻止する、現行国内法規制内で商品化が可能な手段による痴漢行為阻止装置を提供することである。【解決手段】指向性の強い高輝度赤色ＬＥＤを光源とし、「ＳＯＳ」の文字がプリントされた反転マスクフィルムを介し、集光レンズにより収束する光線を照射する装置であり、スイッチを押すと、被照射面に「ＳＯＳ」の文字の文字がＩＣ制御により点滅発光表示されるように構成されたことを特徴とする痴漢行為阻止装置とする。【選択図】図１
2007305095.tif 000002
【特許請求の範囲】
【請求項１】
指向性の強い光源から照射され、集光レンズにより収束する光線が、電車の車両の天井面などの被照射部に図形、文字などを発光表示することを特徴とする痴漢行為阻止装置。
【発明の詳細な説明】
【技術分野】
【０００１】本発明は、混んだ車両内などでの痴漢行為を阻止する装置に関するものである。
【背景技術】
【０００２】本出願人は先に、どの女性が被害女性がなのかを周囲に特定されることなしに、痴漢行為が行われている事実を他の乗客に知らせ、さらに、痴漢自身にも被害者が痴漢行為を告発していることを知らしめることによって、痴漢行為を阻止するものとして、光源から照射されたレーザービームで車両の天井面などに図形、文字などを表示をすることを特徴とする痴漢行為阻止装置を提案した（特願２００５−３８１００４）。しかし、この装置は携帯用レーザー応用装置として、消費生活用製品安全法の規制対象であるため出力ｗ数の制限など、商品化を阻む制約が多い。【０００３】従って、本発明はレーザー以外の光線によって、車両の天井面などの被照射部に図形、文字などを発光表示することを特徴とする痴漢行為阻止装置を提供することである。
【発明の開示】
【発明が解決しようとする課題】
【０００４】本発明の技術的課題は、前述の問題を解決するため、どの女性が被害女性がなのかを周囲に特定されることなしに、痴漢行為が行われている事実を他の乗客に知らせ、さらに、痴漢自身にも被害者が痴漢行為を告発していることを知らしめることによって痴漢行為を阻止する、レーザー光以外の照射装置を提供することである。
【課題を解決するための手段】
【０００５】前記課題を解決するため、本発明はＬＥＤ光源から照射された光線で、車両の天井面などの被照射部に図形、文字などを発光表示することを特徴とする痴漢行為阻止装置とする。
【発明の効果】
【０００６】都市部や都市近郊部の交通機関は、女性専用車両の導入や車内アナウンスなどで痴漢対策に取り組んでいるが、このこと自体、痴漢被害がいかに蔓延しているかということの証左である。全国で毎日、しかも昼日中、公衆の真っ只中で行われる犯罪という特異性。平成１６年度の痴漢被害発生件数は、約２，２００件であるが、表沙汰になる事件よりも、泣き寝入りする被害件数がおそらくは、その何十倍、何百倍に上ろうかという特異性。被害女性の年齢では、精神的にも成長過程である１６〜１７歳の女子高校生が突出しているという特異性。【０００７】痴漢されているという恐怖と、周囲の好奇の目に晒されることへの羞恥が被害者に断固とした拒絶行動をとることを躊躇わせ、そして、この心理的弱みに付け込んだ卑劣かつ姑息な犯罪者という図式が、この特異性を成り立たせている。【０００８】しかし、卑劣かつ姑息な犯罪者も、実は被害者と同じように「恐怖と羞恥」を恍惚と緊張の間に抱え込む。すなわち公衆の面前で連行され、逮捕され、変態の烙印を押された自身の姿への恐怖と羞恥の予感は、追いやられた理性の片隅にも痼りのように貼りついている。すなわち被害者が、そして痴漢が、奇しくも最も怖れることは、公衆の面前での痴漢行為の暴露なのである。【０００９】図１は本発明品の使用状況を示す説明図である。被害女性がスイッチを押すと、車両の天井に「ＳＯＳ」の文字が赤色で鮮やかに発光点滅表示される。指向性の強い高輝度赤色ＬＥＤを光源とし、集光レンズによって収束した光線が、昼間の明るい明るい車内の天井面にもくっきりと「ＳＯＳ」の文字を浮かび上がらせる。この時点で即座に乗客の何人かは、車内の異常事態に気づくはずである。そして、痴漢行為が行われていることを容易に理解するであろう。【００１０】ところが、周囲の人たちは、この「ＳＯＳ」の発信者は容易には特定できない。なぜならＬＥＤ光線の軌道は視認できないし、光源は装置の奥に内臓されているので正面から覗き込まないかぎり見えないのである。【００１１】すなわち被害女性は最も畏れる周囲の好奇の目に晒されることなく、痴漢行為の発生を車内に告知できるのである。痴漢行為に気づいた乗客の反応は様々であろうが、誰かが声を発するまでもなく、公衆の面前での痴漢行為の暴露を最も畏れる痴漢自身が事態を察知し行為の続行を中止するかもしれない。痴漢とは卑劣と姑息を纏わり付かせた小心者の心理構造そのものだからである。【００１２】このように当発明品により、痴漢行為を、ほぼ発生の初期段階で、被害女性が最も畏れる「恐怖と羞恥」を味わうことなく未然に阻止することができるのである。この発明品があったら以前社会問題にまでなった、被害者を取り囲んで痴漢行為をするという集団による痴漢犯罪も防げたであろうし、さらに誤認逮捕による冤罪を防ぐことにもなるのである。
【発明を実施するための最良の形態】
【００１３】本発明は、ＬＥＤ光源から照射された光線で、車両の天井面などの被照射部に図形、文字などを発光表示することを特徴とする痴漢行為阻止装置とする。
【実施例】
【００１４】本発明の実施例を説明する。本発明品は、手のひらに収まるコンパクトな形状に形成され、指向性の強い高輝度赤色ＬＥＤを光源とし、「ＳＯＳ」の文字がプリントされた反転マスクフィルムを介し、集光レンズにより収束する光線を照射する装置であり、スイッチを押すと、被照射面に「ＳＯＳ」の文字の文字がＩＣ制御により点滅発光表示されるように構成されている。
文字は「ＨＥＬＰ」、「ちかん」などでもよい。【００１５】この発明品は痴漢行為を受けた初期段階で使用することにより、痴漢行為の発生を被害者当人であると周囲に知られることなく車内に告知して痴漢行為の継続を阻止することができるのである。さらに、この発明品が公知されれば、携帯しているだけで痴漢行為の発生自体を未然に防ぐという効果もある。またＬＥＤは、レーザーのような厳しい法的規制がないので、防犯アラーム機能を付加するなど、痴漢被害の多い低年齢層向けの商品化も容易である。
【図面の簡単な説明】
【図１】    発明品の使用状況を示す説明図
【符号の説明】
１      表示文字
２      痴漢
３      被害女性
【図１】
2007305095.tif 000003
(57)【要約】【課題】従来の自動車エンジンオイル等の鉄粉除去に用いるオイルフィルターの構造は鉄粉除去の磁石が内部で小さく、性能力も弱く高価であり経済的ではなかった。【解決手段】オイルフィルター外側に鉄粉除去用粘着式磁石を装着する。鉄粉除去用粘着式磁石はたとえば複数の永久磁石である。【選択図】図１
2007090314.tif 000002
【特許請求の範囲】
【請求項１】
オイルフィルター外側に鉄粉除去用磁石を複数設けたことを特徴とする鉄粉除去装置
【請求項２】
前記外付け鉄粉除去用磁石は永久磁石と粘着シートを組み合わせたことを特徴とする請求項１記載の鉄粉除去装置
【発明の詳細な説明】
【技術分野】
【０００１】  この発明は、自動車エンジンオイル等の鉄粉除去に用いるオイルフィルターの性能及び寿命に関する
【背景技術】
【０００２】  従来の自動車エンジンオイル等の鉄粉除去に用いるオイルフィルターの構造は図２に示すようにオイルフィルターの本体１の内部に磁石２が設けられたものである
【特許文献１】特開２００１−３８１１３
【発明の開示】
【発明が解決しようとする課題】
【０００３】しかしながら、以上の技術によれば、鉄粉除去の磁石が内部で小さく性能力も弱く高価であり経済的ではなかった
そこで、この発明は性能力も強くオイルフィルターのサイズも選ばず安易に装着でき経済的な鉄粉除去装置を提供することを課題とする。
【課題を解決するための手段】
【０００４】  以上の課題を解決するために、第一発明は、オイルフィルター外側に粘着貼り付け式永久磁石を装着したことを特徴とする鉄粉除去装置である。また、第二発明は、外付け鉄粉除去磁石を永久磁石と粘着シートに組み合わせたことを特徴とする鉄粉除去装置である
【発明の効果】
【０００５】  第一発明、または第二発明によればオイルフィルターに外付け鉄粉除去用磁石を複数装着したので性能力も強く、オイルフィルターのサイズも選ばす安易に装着でき経済的
【発明を実施するための最良の形態】
【０００６】  この発明の一実施形態を、図１に示す。
鉄粉除去装置の本体は粘着シートであり、この本体の粘着部分には永久磁石３が複数設けられている【０００７】「実施形態の効果」
この実施形態によれば、永久磁石３の働きでオイルフィルター内の鉄粉を集めることができる。したがって、オイルフィルターの寿命及び性能が向上し経済的【０００８】「他の実施形態」
図１の実施形態では、鉄粉除去は永久磁石３でもあったが他の実施形態では永久磁石を外側底部に装着するものでも良い。
【図面の簡単な説明】
【０００９】
【図１】この発明の一実施形態を示す斜視図である。
【図２】従来技術を示す斜視図である。
【符号の説明】
【００１０】      １  オイルフィルタ本体            ２  磁石
３  永久磁石                      ４  本体
【図１】
2007090314.tif 000003
【図２】
2007090314.tif 000004
(57)【要約】【課題】従来の回転水流式洗浄方式では解決出来なかった凹み面の多い洗浄対象物に対し、強力な洗浄効果を発揮する旋回水流発生装置を提供すること。【解決手段】凹みのある洗浄対象物を洗浄する為、円筒型水槽１の底面に回転する円錐型回転円板２に４枚の回転羽根３を持ち、円筒型水槽１側面には連続した等辺三角山形状の側板４を配置し、水槽内で発生する強力な旋回水流１５により、従来の回転水流式洗浄では困難であった凹み面の多い洗浄物の洗浄を可能とする旋回水流発生装置を実現させる。【選択図】  図１
2007090248.tif 000002
【特許請求の範囲】
【請求項１】
円筒型水槽において、底面に回転羽根を持つ円錐型回転円板とその円筒水槽の周囲に等辺三角山形状の側板を配置する事によって旋回水流を発生させる装置。
【発明の詳細な説明】
【技術分野】
【０００１】
本発明は、円筒型水槽内で発生させる旋回水流を利用して対象物の洗浄を可能とする旋回水流発生装置に関するものである。
【背景技術】
【０００２】
洗浄作業は、対象物の形状により充分な洗浄が出来ない事が多い。円筒型水槽内で発生させた激しい水流の旋回水流機能は、特に表面に凹みの多い対象物には顕著な洗浄効果を発揮出来る技術である。
【発明の開示】
【発明が解決しようとする課題】
【０００３】
本発明の目的は、表面に凹みの多い洗浄対象物に対し、優れた洗浄効果を発揮する旋回水流発生装置を提供することにある。
【課題を解決するための手段】
【０００４】
前述した目的を達成するため、本発明は、円筒型水槽１底面に中心軸を持つ円錐型回転円板２に４枚の回転羽根３を持ち、円筒型水槽１側面には連続した等辺三角山形の側板４を配置した旋回水流発生装置である。
【０００５】
この旋回水流発生装置の特徴は、円筒型水槽１内の中心軸を持つ円錐型回転円板２の上に直角方向に配置された４枚の回転羽根３を回転する事により、回転水流を発生させる。その回転水流は側面に連続して並ぶ等辺三角山形の側板４に当たり、一旦は盛り上がった回転水流は円錐型回転円板２の中心軸方向に下降する事から旋回水流１５に変換される。この旋回水流１５が洗浄対象物に当たれば表面や裏面の凹み面に作用し、凹み面内付着物を速やかに洗浄出来る。
【０００６】
旋回水流発生の機構としては、例えば円筒型水槽１の直径０.４４メートル内側面に、その水槽上端から底面の回転円板２に至る円筒型水槽１の直径と略同じ長さの連続した高さ０.０２メートルの等辺三角山形の側板４を円周に沿って設け、底面には円錐型回転円板２の上に、直角方向に配置された４枚の回転羽根３を円錐型回転円板２にて回転させる事で、円錐型回転円板２の回転方向に、中心軸に向かって旋回する強力な旋回水流１５を発生させる。
【０００７】
回転羽根４の形状は旋回水流１５の発生に影響する事から、大きな旋回効果を出す形状は渦発生の少ない断面形状としてカマボコ型とし、円錐型回転円板２の中心側が低くて先端側が高い形状で、回転羽根３の上面が水平な形状が最適な旋回水流発生効果を発揮する。  
【０００８】
回転羽根４を持つ円錐型回転円板２の回転速度も旋回水流１５の発生に大きく影響するが、この構造の水槽内で旋回水流１５を発生させる円錐型回転円板２は、底面下に装着された駆動モータ５とその伝導ベルト６を介して回転され、その回転速度を旋回水流発生装置制御盤１４内のインバータ制御で洗浄に最も適する回転速度を選ぶ事が可能である。
【０００９】
旋回水流１５の発生に必要な水は、円筒型水槽１の上蓋１３に設けた給水弁７から供給され、洗浄後の排水は底面排水口９を経由して手動排水弁１０から外部に排出される。
【００１０】
洗浄対象物は上蓋１３の開口部より投入取出し可能である。
【発明の効果】
【００１１】
本発明の旋回水流発生装置を利用する方法によれば、例えば従来の洗浄で問題の出ていた凹み面の多い対象物の洗浄に優れた洗浄効果を発揮する。
【発明を実施するための最良の形態】
【００１２】
以下、本発明による好適な実施形態を、添付図面にて示す。
【産業上の利用可能性】
【００１３】
本発明は、表面に凹みのある洗浄対象物の洗浄に効果を発揮し、従来の単なる回転水流では解決出来なかった凹み内部の汚れ残存問題を解決し、その洗浄に対し最良の策を提供する。
【図面の簡単な説明】
【００１４】
【図１】円筒型水槽１内の円錐型回転円板２が、反時計周り回転時の旋回水流１５の模式図。
【図２】本装置の正面図とA-A矢視図並びに駆動系を示すB-B矢視図。
【符号の説明】
【００１５】
１    円筒型水槽
２    円錐型回転円板
３    回転羽根                        ４枚
４    等辺三角山形側板            
５    駆動モータ
６    伝導ベルト
７    ２５Ａ給水弁
８    回転円板中心軸と固定ボルト
９    排水口
１０  ５０Ａ手動排水弁
１１  回転円板回転方向（反時計周り）
１２  旋回水流（反時計周り）
１３  水槽上蓋（洗浄物投入取出口付）  
１４  旋回水流発生装置制御盤
１５  駆動モータ用ケーブル
１６  駆動部カバー 
１７  キャスター
【図１】
2007090248.tif 000003
【図２】
2007090248.tif 000004
(57)【要約】【課題】  板厚の厚いセラミックの板に多数の孔を容易に開けることができるセラミック多孔質構造体の製造方法を提供することにある。【解決手段】  セラミックの焼結前の薄いシート状のグリーンシートの状態において、所望の直径の穴を所定間隔により穴あけを施し、その穴に金属ペーストを埋め込むことで穴埋めを行う。そして、このシートを所望の板厚になるように複数積層した上でその積層されたシートを焼結し、その後エッチングにより金属部分を除去することにより、セラミック多孔質構造体を製造する。【選択図】  図２
2007090583.tif 000002
【特許請求の範囲】
【請求項１】
セラミックを用いた多孔質構造体の製造方法であって、
所望の貫通孔を開けるために、セラミックの製造工程においてグリーンシートに穴あけを施すステップと、
この孔を金属ペーストで穴埋めを行うステップと、
この加工されたグリーンシートを複数積層し焼結するステップと、
この焼結されたセラミックの金属部分をエッチングにて除去するステップとを備えることを特徴とする多孔質構造体の製造方法。
【請求項２】
請求項１記載の製造方法によって製造された構造体。
【発明の詳細な説明】
【技術分野】
【０００１】
本発明は、プローブカード端子、コネクタなどのソケットに利用されるセラミック多孔質構造体の製造方法に関する。
【背景技術】
【０００２】
従来は、セラミックの板に穴を開ける方法として、焼結されたセラミックにドリルを用い研削しながら穴を開ける方法がある（特許文献１または特許文献２参照）。
【０００３】
【特許文献１】特開2004-66358号公報
【特許文献２】特開2003-251512号公報
【発明の開示】
【発明が解決しようとする課題】
【０００４】
上記背景技術におけるセラミックの穴あけ方法は、（１）ドリルによる機械的な研削のため、衝撃によりクラックを発生する場合がある。（２）ドリルの寸法・強度等により、板厚が厚く微小な穴あけを施す場合の対応が困難である。（３）加工する穴数が数百〜数千を超える場合は、ドリルの多軸による加工においてもかなりの時間がかかる。
などの問題があった。
【０００５】
本発明の目的は、板厚の厚いセラミックの板に多数の孔を容易に開けることができる多孔質構造体の製造方法を提供することにある。
【課題を解決するための手段】
【０００６】
上記目的を達成するために本発明は、セラミックの焼結前の薄いシート状のグリーンシートの状態において穴あけを施し、その穴を金属ペーストで埋め、このシートを複数積層／焼結しその後エッチングにより金属部分を除去する構成を採用した。
【発明の効果】
【０００７】
本発明によれば、多孔セラミック板を容易に加工することができ、その後プローブカード等に利用することができるという効果がある。
【発明を実施するための最良の形態】
【０００８】
以下、本発明の一実施形態である多孔質構造体の製造方法を図面を用いて詳細に説明する。
【０００９】
図１は、本実施例により製造される多孔質構造体の断面図である。セラミック１に孔２を形成しており、セラミックはホウ珪酸系ガラスセラミックであり、板厚は10mmとする。また、孔２の直径は0.06mmで、孔２は0.2mmピッチで形成されている。
【００１０】
図２は、多孔質構造体の製造工程フロー図である。まず、0.2mmの焼結前のセラミックの材料であるグリーンシートに直径0.06mmポンチを用いて所望の数の穴あけを行う。このセラミックの材料は、例えばホウ珪酸系ガラスセラミック材を用いる。次にこのシートの穴に粘性のある金属ペースト、例えば球径約0.005ｍｍ銅粉末を糊系の材料であるエチルセルロースと溶剤のエチレングリコールモノヘキシルエーテルを混ぜ粘性のあるペースト状にし、これを、印刷技術を用いて穴に埋め込む。なお、この穴あけ及び穴埋めされたシートは所望の板厚になるように必要枚数同様な処理を行い、その位置合わせを行って積層加圧接着を施し、焼結処理を行う。
【００１１】
この焼結されたセラミックの板を、硝酸とリン酸と酢酸を混合比２：１：３の混合液によりエッチング処理を行うことにより、焼結工程にて形成された穴埋めされた銅を選択的にエッチングし所望の孔が形成される。
【００１２】
以上の処理により、セラミックに多数の孔を形成したセラミック多孔質構造体が完成する。なお、セラミックの材料はアルミナ、金属はタングステン等でもよい。
【００１３】
この後、半導体テスト用プローブ針をこの孔に挿入することにより、プローブカードとして利用することも可能となる。また、本実施例で示したような熱収縮率がＳｉと同様な材料を選択することにより、精度変化が少なく安定したプローブカードを提供することができる。
【図面の簡単な説明】
【００１４】
【図１】本発明の一実施の形態である多孔質構造体の断面図である。
【図２】多孔質構造体の製造工程を示すフローチャートである。
【符号の説明】
【００１５】
１：セラミック板、２：セラミック孔
【図１】
2007090583.tif 000003
【図２】
2007090583.tif 000004
(57)【要約】【課題】逃げ面開口部からクーラントを特定方向へ導き・制御し、先端切れ刃の外周側へより供給し、ドリル寿命を改善したドリルを提供する。【解決手段】クーラントホールが先端切れ刃の逃げ面に開口したクーラント穴付きドリルにおいて、該クーラントホールの開口部から流路を、該逃げ面上に、ランド部外周側に向け、該流路の終端をランド部外周側に開通させたことを特徴とするクーラント穴付きドリルであり、該流路を溝状に設け、その断面積をクーラント穴の開口部側から開通部側に向かって漸次大きくしたことを特徴とするクーラント穴付きドリルである。【選択図】なし【特許請求の範囲】
【請求項１】
クーラントホールが先端切れ刃の逃げ面に開口したクーラント穴付きドリルにおいて、該クーラントホールの開口部から流路を、該逃げ面上に、ランド部外周側に向け、該流路の終端をランド部外周側に開通させたことを特徴とするクーラント穴付きドリル。
【請求項２】
請求項１記載のクーラント穴付きドリルにおいて、該流路を溝状に設け、その断面積をクーラント穴の開口部側から開通部側に向かって漸次大きくしたことを特徴とするクーラント穴付きドリル。
【請求項３】
請求項１又は２記載のクーラント穴付きドリルにおいて、該流路の断面における最深部が、該流路の幅の中心より先端切れ刃側にあることを特徴とするクーラント穴付きドリル。
【発明の詳細な説明】
【技術分野】
【０００１】
本願発明は、流体供給用のクーラント穴付きドリルに関する。
【背景技術】
【０００２】
潤滑及び冷却を目的として、不水溶性切削油、水溶性切削油、エァ−等の湿式・乾式切削では、先端切れ刃近傍へ、ドリル内部に設けたクーラントホールを、逃げ面上に開口部を設け、開口部の形状に関して様々な工夫が成されている。特許文献１は、クーラント穴の開口部の形状を略３角形にしたドリルが記載され、特許文献２は、逃げ面のクーラント穴の開口部に連通する窪んだ表面を有するドリルが記載されている。
しかし、特許文献１記載のドリルは、クーラントの方向を定めるものではなく、先端切れ刃全体に供給するものであり、特許文献２記載のドリルは、クーラントを溜めるのみであり、クーラントを特定方向へ制御することは開示されていない。
【０００３】
【特許文献１】特開２００５−５２９４０号公報
【特許文献２】特表２００２−５２０１７８号公報
【発明の開示】
【発明が解決しようとする課題】
【０００４】
本願発明は、逃げ面開口部からクーラントを特定方向へ導き・制御し、先端切れ刃の外周側へより供給し、ドリル寿命を改善したドリルを提供する。
【課題を解決するための手段】
【０００５】
本願発明は、クーラントホールが先端切れ刃の逃げ面に開口したクーラント穴付きドリルにおいて、該クーラントホールの開口部から流路を、該逃げ面上に、ランド部外周側に向け、該流路の終端をランド部外周側に開通させたことを特徴とするクーラント穴付きドリルである。本発明を適用することにより、開口部から噴出するクーラントは、被削材に衝突した後、流路により導かれて、先端切れ刃の外周側付近により多く供給することができ、切れ刃の潤滑・冷却等に有効に作用する。
【発明の効果】
【０００６】
本願発明により、逃げ面開口部から先端切れ刃の外周付近により多く供給でき、ドリル寿命を改善することができた。
【発明を実施するための最良の形態】
【０００７】
本願発明は、クーラントの流出する方向を制御することにより、先端切れ刃によりクーラント供給を優先的に行うものである。先ず、クーラントホールから流路を設けることにより、流路内に沿って、クーラントを導くことができる。導く方向は、クーラントホールの逃げ面開口部から、該逃げ面上に、ランド部外周側に向けて流路を設けることにより、クーラントを先端切れ刃全体にではなく、特定の方向へ、十分な量のクーラントが供給され、冷却及び潤滑の効果を充分に発揮させることができる。流路は、溝状に設けても良く、その断面における流路の幅は、クーラント穴の直径の７５％〜１２５％の範囲内が望ましく、その深さは、クーラント穴の直径の５０％〜１００％の範囲内が望ましい。更に、幅に対する深さの比率は５０％〜１００％が望ましい。
【０００８】
次に、該流路の断面積をクーラント穴の開口部側からランド側に向かって漸次大きくすることにより、クーラントが優先的に流路を通り、十分な量のクーラントをより供給することができる。漸次大きくする方法としては、溝状流路の幅又は深さの増加等があり後工程で溝状流路が設けることができ、再研削・再使用に対しても容易に対応できる。
更に、該溝状流路の断面における最深部が溝状流路の幅の中心より先端切れ刃側に設けることにより、溝状流路の断面形状を左右非対称とし、より多量のクーラントを先端切れ刃側に供給でき、一層のドリル寿命が向上する。以下、本願発明を実施例に基づき詳細に説明する。
【実施例】
【０００９】
（実施例１）
本発明例１は、ドリル径６．０ｍｍ、溝長４５ｍｍで、逃げ面に開口する直径１ｍｍのスパイラルクーラントホールを設けた超微粒子超硬合金製のツイストドリルを用いて、クーラントホールの開口部から、Ｖ字状の流路を、幅１ｍｍ、深さ０．７５ｍｍ、漸次拡大し、溝状流路の終端では、幅１．２ｍｍ、深さ０．９ｍｍに拡げて設け、ランド部外周側に開通させている。
比較のため、比較例２として、本発明例１に流路を設けないもの、従来例３として、特許文献１記載のクーラント穴の開口部が略３角形のドリルを、従来例４として、特許文献２記載の逃げ面のクーラント穴の開口部に連通する窪んだ表面を有するドリルを本発明例１と同様の仕様で製作した。尚、本発明例１〜従来例４は、ＴｉＡｌＮを被覆した。
【００１０】
試験は、各試料を３本づつ用意し、被削材は、ＳＣＭ４４０（ＨＲＣ３０）を、縦型マシニングセンターを用い、クーラントには不水溶性切削油を使用しクーラント圧を２ＭＰａで供給した。切削条件は、切削速度８０ｍ／ｍｉｎ、送り量、０．１５ｍｍ／ｒｅｖ、穴あけ深さ３０ｍｍの通り穴を１００穴、１０００穴加工し、穴加工後の先端切れ刃の損傷状態を観察した。
先ず、１００穴では、本発明例１は、３本共、問題なく加工でき、先端切れ刃の損傷状態は、溶着もなく、正常摩耗であった。比較例２は、３本共、問題なく加工できたが、先端切れ刃の損傷状態は、溶着がやや認められた。従来例３、４は、３本共、問題なく加工できたが、先端切れ刃の損傷状態は、溶着が比較例２よりも更に多く認められた。
更に、試験を継続し、１０００穴迄加工を行った結果、本発明例１は、３本共、問題なく加工でき、先端切れ刃の損傷状態は、溶着はやや認められるものの正常摩耗であった。比較例２は、３本共、１０００穴まで加工できたが、先端切れ刃の損傷状態は、２本に溶着から生じたチッピングが認められた。従来例３、４は、３本共、１０００穴まで加工できたが、３本共、溶着から生じたチッピングが認められた。
(57)【要約】      （修正有）【課題】揮発性有機化合物に汚染された地下水・土壌の浄化方法を提供する。【解決手段】揚水井、曝気槽、注水井及び吸着塔を備え、揮発性有機化合物に汚染された地下水・土壌を過酸化水素により浄化する方法において、曝気をマイクロバブルで行うことを特徴とする地下水・土壌の浄化方法。【選択図】なし【特許請求の範囲】
【請求項１】
揚水井、曝気槽、注水井及び吸着塔を備え、揮発性有機化合物に汚染された地下水・土壌を過酸化水素により浄化する方法において、曝気をマイクロバブルで行うことを特徴とする地下水・土壌の浄化方法。
【請求項２】
マイクロバブルを空気せん断流型の装置で発生させる請求項１記載の地下水・土壌の浄化方法。
【発明の詳細な説明】
【技術分野】
【０００１】
本発明は、揮発性有機化合物に汚染された地下水・土壌の浄化方法に関する。
【背景技術】
【０００２】
揚水井、曝気槽、注水井及び吸着塔を備え、過酸化水素を用いて地下水・土壌の浄化を行う方法における曝気槽は、ストリッピング式やスプレー塔式が使用されるのが一般的である。ストリッピング式は、揚水した地下水をベンチュリー管から高速噴霧し、微細な液滴とすることで表面積を広げ、溶存している有害物質を効率的に気散させることに特徴がある。しかしながら、この方法では、高速噴霧された液滴が広がる部分の体積と、ミストトラップ、吸着塔が大きくなる欠点を有しており、処理能力の割に大きな設備を用いなければならない。また、スプレー塔式は、揚水した地下水を塔上部より、ブロワーによる空気を塔下部より送り込んで、塔内部に充填した充填物(テラレット等)上で接触させる。この方法でも気液接触を十分に行わせるためには、充填物に大きな面積を持たせることが必要であり、装置の大型化が避けられない。
【０００３】
揮発性有機化合物（ＶＯＣ）に汚染された地下水・土壌を浄化する方法としては、地下水・土壌に酸化剤を注入することにより地下水・土壌中のＶＯＣを分解処理する方法があり、例えば、次のような方法が提案されている。特許文献１には、土壌中に井戸を立設し、井戸内に貯留された地下水中をオゾン含有気体で曝気し、地下水中の有害物質をオゾンの酸化作用により分解する方法が開示されている。また、この発明ではオゾンの他に、紫外線や過酸化水素等の酸化剤も併用する方法も開示されている。この方法では、生物に悪影響を及ぼすオゾンや紫外線を使用し、更に井戸等の一般的な設備の他に、オゾンや紫外線の発生装置も備えなければならず、経済的に得策ではない。
【０００４】
また、特許文献２には、有機塩素化合物に汚染された土壌に、注水井戸を介して過マンガン酸塩を注入し、揚水井から汲み上げられた水に過酸化水素を添加する方法が開示されている。この方法では、更なる汚染源となり得る過マンガン酸塩を添加するため、有機塩素化合物の汚染が除去されたとしても、マンガンによる二次汚染が発生する恐れがある。
【特許文献１】特開２００１−９４８０号公報
【特許文献２】特開２００２−３０１４８６号公報
【発明の開示】
【発明が解決しようとする課題】
【０００５】
本発明の目的は、従来の技術の問題を解決し、コンパクトで然も環境負荷の少ないＶＯＣ汚染地下水・土壌の浄化方法を提供することにある。
【課題を解決するための手段】
【０００６】
発明者らは、上記課題に対し鋭意検討を行った結果、揚水井、曝気槽、注水井及び吸着塔を備え、過酸化水素を用いてＶＯＣに汚染された地下水・土壌を浄化する方法において、曝気をマイクロバブルで行うことで、コンパクトな装置でもＶＯＣの分解と除去が効率良く行われることを見出し、本発明を完成させるに至った。すなわち、本発明は、揚水井、曝気槽、注水井及び吸着塔を備え、揮発性有機化合物に汚染された地下水・土壌を過酸化水素により浄化する方法において、曝気をマイクロバブルで行うことを特徴とする地下水・土壌の浄化方法。
【発明の効果】
【０００７】
本発明によれば、揚水井、曝気槽、注水井及び吸着塔を備え、過酸化水素を用いて揮発性有機物に汚染された地下水・土壌を浄化する方法において、経済的に優位に、然も短期間でＶＯＣの除去が可能となる。
【発明を実施するための最良の形態】
【０００８】
本発明では、浄化対象となる区域を鋼矢板等の遮水壁で囲み、その内側に揚水井と注水井を掘削する。そして注水井から過酸化水素水溶液を注入し、ＶＯＣと過酸化水素を接触させる。その後、揚水井から地下水を汲み上げ曝気槽に受け入れる。曝気槽では、マイクロバブルによって残存している過酸化水素が活性化され、未反応ＶＯＣの一部を分解すると共に、一部のＶＯＣがマイクロバブルに同伴されて効率よく気相に脱気される。このため、曝気槽はマイクロバブル装置を有した水槽部分に水面上部に空間を持つシンプルかつコンパクトな構造となる。気化したＶＯＣは、曝気槽上部に備えた吸着塔で吸着・回収される。ＶＯＣが除去された水には、未だマイクロバブルが残存しているが、そのまま注水井に導き、過酸化水素水溶液と共に地下に戻される。注水井より供給された過酸化水素とマイクロバブルを含有する水は、通常の過酸化水素水溶液に比べて浸透力が高く、高効率でＶＯＣの抽出を行うことが出来る。未反応ＶＯＣを回収する吸着塔は、広く工業的に使用されている活性炭吸着塔等が使用可能である。
【０００９】
本発明における過酸化水素は、市販の過酸化水素が使用出来る。また、過酸化水素の濃度に特に制限はないが、注水井での濃度で通常０．１〜５重量％の濃度で実施される。これ以下の濃度では、効果が低く、高すぎると地下水のｐＨの低下を招き、二次汚染の危険性が増加する。
【００１０】
マイクロバブルは、空気せん断流型のノズルで発生させた気泡が好ましい。キャビテーション方式等で発生させたマイクロバブルでは、気泡の安定性が悪く、地下でのＶＯＣ抽出効果が不十分である。空気せん断流型のノズルとしては、大成式（徳山工業高等専門学校  大成博文教授開発）やＯＨＲ流体工学研究所式が好適に使用される。但し、これらのノズルはＳＳ等の固形分の存在を嫌うため、ノズル手前にストレーナーを設けることが好ましい。マイクロバブルを形成させる気体の種類にも制限はなく、空気以外の気体も使用可能である。
【実施例】
【００１１】
以下に実施例を挙げて本発明を更に詳しく説明するが、本発明はこれらの実施例によりその範囲を制限されるものではない。
【００１２】
地表面から５ｍの深さに帯水層が存在し、その地下水が約２０ｐｐｍのトリクロロエチレン（ＴＣＥ）で汚染されている現場において、汚染域の周辺を鋼矢板で囲み、１０ｍ四方の独立した区画を作った。その区画内に揚水井を一本と、揚水井から５ｍ離れた上流側に注水井を一本掘削し、揚水井の出口に容積２００リットルの曝気槽と活性炭吸着塔を設置した。曝気槽にはＯＨＲ式マイクロバブル発生装置を付帯させた。
【００１３】
揚水井から毎分２０リットルの速さで地下水を揚水し、曝気槽で毎分１リットルの速度で発生させたマイクロバブルと接触させた。曝気槽から排出される気泡で白濁した液をそのまま注水井に導き、３５重量％過酸化水素水溶液を毎分１．５リットル添加しながら毎分２０リットルの速さで地下に戻した。この操作における過酸化水素の濃度は、注水井で２．５重量％、揚水井で２０ｐｐｍであった。この処理を２０日間連続で行った結果、地下水中のＴＣＥ濃度は約８ｐｐｍであった。また、処理期間中に吸着塔から排出されるオフガス中からは、ＴＣＥは検出されなかった。
(57)【要約】      （修正有）【課題】身体上を円滑に移動させ、かつ温度が安定している温熱器を提供する。【解決手段】把持部１、加熱部２、コントローラー３、カバー４、コード６、軸受７より構成される。加熱部は、熱源は電熱で、円筒形の形状を有し、回転により、身体上を円滑に移動できるとともに身体上に安定した温度を与えることが可能となる。発熱体はカーボンシート等のシート状のものを使用し、加熱部の素材の内側に貼り付けることにより、均一で安定した温度が実現できる。【選択図】図３
2007090031.tif 000002
【特許請求の範囲】
【請求項１】
把持部と加熱部から成る温熱器において、加熱部が回転可能な形状であることを特徴とする温熱器。
【発明の詳細な説明】
【技術分野】
【０００１】本発明は加熱部が回転することにより身体上を移動する温熱器である。
【背景技術】
【０００２】従来の多くの温熱器の加熱部は皮膚、あるいは衣服に密着させ、そのまま押しながら移動させる器具がほとんどであった。その為、円滑さに欠け、又、加熱部は気温や体温に対する放熱で温度が下がりやすい傾向にあった。
【発明の開示】
【発明が解決しようとする課題】
【０００３】本発明は前項を改善させる為、加熱部の形状は回転可能なものとした。それにより、温熱器は身体上を円滑に移動することが出来、さらに設定温度の安定化も計ることが可能となる。
〔課題を解決する為の手段〕【０００４】本発明は、上記課題の解決として、加熱部▲２▼の形状を回転可能なものとした。他の分野では平凡な形状であるが、温熱器としては、見当らない。
熱源は電熱である。仮に加熱部▲２▼の形状を円筒形とした場合、発熱体はシート状のものを使用する。（例：カーボンシート）加熱部の素材の内側に貼りつける為、均一で安定した温度が実現可能となる。さらに、加熱部上部にカバー▲５▼をかぶせる。（１つの例として、加熱部の上部約１／３の位置まで同型のカバーをした。）それにより、むき出しの加熱部に直接触れる危険が少なくなる。そして、そのカバー▲５▼のほぼ中央に把持部▲１▼を取りつける。把持部▲１▼は全体のデザインにより着脱可能でも取り付けてもよい。形状も多種考えられるが１つの例としての把持部▲１▼を示した。
温度は熱センサーを内蔵させたコントローラー▲３▼により調節する。
加熱部▲２▼の素材は、金属やセラミックス、あるいは樹脂等を使用する。又、アロマテラピー効果を加える場合は、精油を滴下させる含油部▲４▼を設ける（ｕ３０９３７４８号参照）。本発明の場合、マット状のものに精油を数滴滴下させ、それを含油部▲４▼に差し込むのも良い。
コントローラー▲３▼や含油部▲４▼は全体のデザインや大きさにより適宜、設定する。
【発明の効果】
【０００５】本発明は、加熱部▲２▼を回転させる事により、身体上の移動を円滑にすることが可能となる。又、そればかりでなく固定された加熱部では、気温や体温による放熱が多いが、回転する場合は、常に新しい設定温度の加熱部の出現で温度は、ほとんど均一である。
〔発明の実施する為の最良の形態〕【０００６】本発明は、加熱部▲２▼の形状が回転可能である為、身体上を円滑に移動させることが実現する。この事は使用上、大変な長所である。又、使用中の加熱部の温度もほゞ安定していることは前項で述べた通りである。
使い勝手の面からも、温度の面からもまさに理想的である。さらに、温熱押圧のみの温熱器ではあるが、アロマテラピー効果も付加したい場合は含油部▲４▼を設けて、香りを楽しみながらの相乗効果も期待出来る。
デザイン次第では大変可愛いい、そして機能的にも理想的な温熱器である。
【図面の簡単な説明】
【０００７】
【図１】平面図
【図２】側面図
【図３】鳥瞰図
【符号の説明】
【０００８】▲１▼  把持部
▲２▼  加熱部
▲３▼  コントローラー
▲４▼  含油凹部
▲５▼  カバー
▲６▼  コード
▲７▼  軸受
【図１】
2007090031.tif 000003
【図２】
2007090031.tif 000004
【図３】
2007090031.tif 000005
(57)【要約】【課題】敷物の周辺部に設けた空間の中に、現地で重しを入れる敷物を提供する。【解決手段】敷物本体の周辺部を袋体にする。別のフタ付きの重し袋に、現地で調達した砂や土等の重しを入れフタを絞める。敷物本体の周辺部の袋体部分に、重しを入れた重し袋を挿入する。以上を特徴とする敷物である。【選択図】図１
2007090011.tif 000002
【特許請求の範囲】
【請求項１】
敷物の周辺部に設けた空間の中に、重しを入れた別の重し袋を挿入する敷物。
【請求項２】
敷物の周辺部に設けた空間の中に、重しを入れる敷物。
【請求項３】
敷物の周辺部に、重しを入れた別の重し袋を装着する敷物。
【請求項４】
使用時に現地の砂等の重しを使用し、フタを閉じる方法の請求項１記載の敷物。
【請求項５】
使用時に現地の砂等の重しを使用し、フタを閉じる方法の請求項２記載の敷物。
【請求項６】
使用時に現地の砂等の重しを使用し、フタを閉じる方法の請求項３記載の敷物。
【発明の詳細な説明】
【技術分野】
【０００１】本発明は、敷物に重しを挿入したり、重しを装着する敷物に関するものである。
【背景技術】
【０００２】従来、敷物に重しを挿入したり、重しを装着する敷物はなかった。【０００３】実用新案文献１は、敷物の周辺部に穴をあけ、リベット等を打ち込み、風が吹いてもめくりあがったりしないようなものがあったが、リベットがはずれたりして確実に敷物を砂浜等の地面に固定することはむつかしかった。また、リベット等の部品をなくすことも多く、保管にも気をつかった。【０００４】使用目的が全く違うが、特許文献２（ふとん干しシート）は、ふとんが汚れないように、また、風で飛ばされないようにシートの両端に砂をいれ縫い合わせたものである。
上記先行技術は、家庭等でふとんを効率よく干すために使用されるものであり、野外に携帯する必要性はない。また、砂もシート両端に入れ縫い合わせてあるため、持ち運びも重く、敷物として携帯するには不便であった。
【実用新案文献１】
平３−１０６９３７
【特許文献２】特開平７−２７５５７４
【発明が解決しようとする課題】
【０００５】そのために、次のような問題点があった。
（イ）風が吹くと敷物がめくりあがったり、飛ばされたりした。
（ロ）そのために、従来は荷物などの重しを角に置いていたために、敷物のスペースを有効に使えなかった。また、重しの荷物などがずれたりして敷物を確実に押さえることができなかった。
（ハ）敷物の周辺部に穴をあけ、ピン等を差し込む敷物は、ピンがはずれたりして確実に敷物を砂浜等の地面に固定することはむつかしかった。
（ニ）シート本体に砂が元から重しとして入れてあるため、携帯するには不便だった。
【課題を解決するための手段】
【０００６】  敷物本体の周辺部を袋体にする。別のフタ付きの重し袋に、現地で調達した砂や土等の重しを入れフタを絞める。敷物本体の周辺部の袋体部分に、重しを入れた重し袋を挿入する。以上を特徴とする敷物である。
フタを絞める方法は紐で絞めてもよいし、ファスナー（「マジックテープ（登録商標）」等）やボタンやホックなどで絞めてもよい。本体の袋部の底部分は開いていてもよく、両側から重し袋が挿入できてもよい。
周辺部とは片側でもよいし、両側でもよいし、三方でも四方でもよい。
敷物の材質はビニールや織物等、また、敷物の構成も単層・多層のいずれでもよい。
また、敷物本体の周辺部の袋体部にフタを設け、直接  現地で調達した砂や土等の重しを入れ、フタを紐やファスナー（「マジックテープ（登録商標）」等）やボタンやホックなどで絞めてもよい
また、敷物本体の周辺部に紐やファスナー（「マジックテープ（登録商標）」等）やボタンやホックを設けたものに、別の紐やファスナー（「マジックテープ（登録商標）」等）やボタンやホックを設けたフタ付きの重し袋に現地で調達した砂や土等の重しを入れ、敷物本体の周辺部に、重しを入れた重し袋を装着してもよい。
【発明の効果】
【０００７】  敷物本体の周辺部に重し袋を挿入したり装着することにより、風が吹いても敷物本体がめくれあがったり、飛ばされない。
また、敷物本体に重し袋を挿入したり装着することにより、敷物面のスペースを有効に使用することができきる。
また、重し用の砂等の重しも使用時に現地で調達することにより、敷物の持ち運びが容易である。
別の効果として、重し部分を枕にして身体を休めることもできる。
また、重し部分が防砂の役目をはたし、砂や土などが容易に敷物の上にかかりにくくなる。
【発明を実施するための最良の形態】
【０００８】以下、本発明の実施の形態について説明する。
（イ）本体（１）の両側に袋体（２）を設ける。
（ロ）重し袋（３）にフタ（４）を設け、フタ（４）部分に絞め紐（５）を設ける。
本発明は以上のような構成で、これを使用するときは、重し袋（３）に砂や土等の重しを入れ  フタ（４）を絞め紐（５）で絞める。重しを入れた重し袋（３）を、本体（１）の袋体（２）に挿入する。絞め紐（５）部分は（「マジックテープ（登録商標）」等）やファスナーやボタンやホックでも良い。
また図２に示すように、袋体（２）のフタ（４）部分に（「マジックテープ（登録商標）」等）（６）を設け、直接  袋体（２）に砂や土等の重しを入れ（「マジックテープ（登録商標）」等）（６）でフタ（４）を締めてもよい。
（「マジックテープ（登録商標）」等）（６）部分は紐やファスナーやボタンやホックでもよい。
また、図３は袋体（２）が一方に付く敷物で、図４は袋体（２）が三方に付く敷物で、図５は袋体（２）が四方に付く敷物であり、使用方法は、図２で示す敷物と同様である。
また図６に示すように、本体（１）の周辺に（「マジックテープ（登録商標）」等）（７）を設ける。別の重し袋（３）の片側にも（「マジックテープ（登録商標）」等）（７）を設ける。重し袋（３）に砂や土等の重しをいれフタ（４）を（「マジックテープ（登録商標）」等）（６）で絞め、本体（１）の（「マジックテープ（登録商標）」等）（７）に重し袋（３）の（「マジックテープ（登録商標）」等）（７）を装着する。
（「マジックテープ（登録商標）」等）（６）や（「マジックテープ（登録商標）」等）（７）部分は、紐やファスナーやボタンやホックでもよい。
【図面の簡単な説明】
【０００９】
【図１】  本発明の斜視図
【図２】  本発明の他の実施例を示す斜視図
【図３】  本発明の他の実施例を示す斜視図
【図４】  本発明の他の実施例を示す斜視図
【図５】  本発明の他の実施例を示す斜視図
【図６】  本発明の他の実施例を示す斜視図
【符号の説明】
【００１０】１  本体
２  袋体
３  重し袋
４  フタ
５  絞め紐）
６  マジックテープ（登録商標）
７  マジックテープ（登録商標）
【図１】
2007090011.tif 000003
【図２】
2007090011.tif 000004
【図３】
2007090011.tif 000005
【図４】
2007090011.tif 000006
【図５】
2007090011.tif 000007
【図６】
2007090011.tif 000008
(57)【要約】【課題】パソコンデータの入力チェック作業時に、資料を置くスペースをコンパクトにし、様々な資料も作業のしやすい位置に置ける書見台を提供する。【解決手段】  パソコンディスプレイに軸を取り付け、軸を中心に書見台を好きな角度に回転可能にし、また、書見台上部の止め金具と、ストッパーを上下することで様々な大きさの資料を入力しやすい位置に置ける書見台。【選択図】  図１
2007090012.tif 000002
【特許請求の範囲】
【請求項１】
軸に書見台を装着し、書見台にストッパーを設け、パソコンと一体化した軸を中心に書見台が可動する事で小スペースでパソコンの周りに書見台を置き、ストッパーが上下する事で様々な大きさの資料を作業のしやすい位置に置くことを特徴とするパソコン用書見台。
【発明の詳細な説明】
【技術分野】
【０００１】  本発明は、パソコンのデータ入力、チェック作業の際、資料を置く書見台に関するものである。
【背景技術】
【０００２】  従来、パソコン用書見台は、パソコンの横に置くため、一定のスペースを必要とした。また、書見台よりも小さい伝票などをホッチキスで束ねたものを入力するとき、一枚入力するたびに、両手を使って伝票をめくりなおす必要があった。
【発明の開示】
【発明が解決しようとする課題】
【０００３】  そのため、次のような問題点があった。
パソコンの周りに、一定のスパースを必要とするため、パソコン入力業務のオフィスは、どうしても一定以上の広さを必要とし、人員増のおりなどは、スペース確保のために苦労した。
小さい伝票をめくるとき、両手を使うため片手の時より効率が悪かった。
本発明は、以上の問題点を解決しようとするものである。
【課題を解決するための手段】
【０００４】  書見台の部分をパソコンディスプレイと一体化する。書見台部分はディスプレイ画面に対し平行に並べなくとも資料は読みとれるため、結果的に小スペースで入力作業が可能になる。
書見台部分の取り外しが可能なため、書見台の必要のないときも臨機に対応できる。
書見台部分に高さを調節できるストッパーを設け、小さい伝票でも、上からめくれるようにする。以上を特徴とするパソコン用書見台である。
【発明の効果】
【０００５】  本発明はパソコンのデータ入力チェックを小スペースで、様々な資料の大きさの資料も見やすい高さにおき作業できる。したがって、オフィス空間を効率よく利用でき、また、入力チェック作業も効率的になる。
【発明を実施するための最良の形態】
【０００６】  以下、発明実施の形態を説明する。
（イ）ストッパー枠（１２）に弾性材（１０）Ｕ状のバネ（１３）を取り付け、Ｕ状のバネ（１３）の上部に載置板（１１）を取り付けたのもをストッパーとする。
（ロ）板に弾性材と粘着部分を付けた接着版Ａ（５）接着版Ｂ（６）を軸（４）に装着し接着版Ａ（５）接着版Ｂ（６）をディスプレイに固定する。
（ハ）横板（２）に軸（４）と着脱可能な環状体（７）を取り付ける。
（ニ）基板（１）にストッパーをスライドさせるための溝（３）を設け、基板上部に穴をあけ、止め金具（８）を通し基板（１）の裏側の止め金具（８）にコイルバネ（９）を設ける。
（ホ）基板（１）に横板（２）を設け、書見台部分とする。
（ヘ）書見台の環状部分（７）を軸（４）に装着する。
（ト）書見台にストッパーを取り付ける。
本発明は、以上の構成によりなっている。
本発明を使用するときは、通常デスプレイ画面の正面に書見台部分を回転させスペースをとらないようにしておく。
データ入力するとき書見台部分を資料の見やすい角度に開く。ストッパーを資料の見やすい高さまでもっていき、資料をのせデータを入力する。
小さい伝票をホッチキスで止めたものを入力チェックするときは、伝票の大きさに合わせストッパーの高さを調節し、片手で伝票をめくれるようにする。
資料によっては、バンダー上部の止め金具（８）に直接はさみ、上からめくりながらデータを入力する。止め金具（８）はコイルバネ（９）に後ろから引っ張られているので、資料は落ちない
また、書見台部分は、不要の時は軸（４）から外すことができる。
【図面の簡単な説明】
【０００７】
【図１】本発明の斜視図
【図２】本発明の分解斜視図
【図３】本発明を裏から見た分解斜視図
【図４】本発明の側面図
【図５】本発明のストッパー部分の着脱を示した側面図
【図６】本発明のストッパー部分の側面図
【図７】本発明のストッパー部分の斜視図
【図８】本発明の使用状態を示す斜視図
【符号の説明】
【０００８】１基板
２横板
３溝
４軸
５接着版Ａ
６接着版Ｂ
７環状体
８止め金具
９コイルバネ
１０弾性材
１１載置板
１２ストッパー枠
１３Ｕ状のバネ
【図１】
2007090012.tif 000003
【図２】
2007090012.tif 000004
【図３】
2007090012.tif 000005
【図４】
2007090012.tif 000006
【図５】
2007090012.tif 000007
【図６】
2007090012.tif 000008
【図７】
2007090012.tif 000009
【図８】
2007090012.tif 000010